(57)【要約】【課題】コンピュータ断層撮影における造影剤の注入のための改善された注入パラメータを決定する。【解決手段】造影剤インジェクタ（２８）のための少なくとも１つの注入パラメータ（１８）を生成する装置（１０）が提供される。本装置（１０）は、患者データ（１６）を受信するための第１データインタフェース（１２）と、造影剤インジェクタ（２８）と接続するための第２データインタフェース（１４）とを含んでいる。更に本装置（１０）は、第１データインタフェース（１２）を介して受信された患者データ（１６）に依存して少なくとも１つの注入パラメータ（１８）を生成するため及び当該注入パラメータ（１８）を第２データインタフェース（１４）において出力するためのデータ処理ユニット（２０）を含んでいる。【選択図】図２
2019171055.tif 000002
【特許請求の範囲】
【請求項１】
造影剤インジェクタ（２８）のための少なくとも１つの注入パラメータ（１８）を生成する装置であって、
−  患者データ（１６）を受信するための第１データインタフェース（１２）と、
−  造影剤インジェクタ（２８）と接続するための第２データインタフェース（１４）と、
−  前記第１データインタフェース（１２）を介して受信された患者データ（１６）に依存して少なくとも１つの注入パラメータ（１８）を生成するため及び当該注入パラメータ（１８）を前記第２データインタフェース（１４）において出力するためのデータ処理ユニット（２０）とを含むこと
を特徴とする装置。
【請求項２】
前記第１データインタフェース（１２）は、特に生理学的なパラメータ（１６ａ）を検知するための測定器（２４）と接続されるように構成されており、前記患者データ（１６）は、脈拍及び／又は血圧測定値のような生理学的なパラメータ（１６ａ）を含むこと
を特徴とする、請求項１に記載の装置。
【請求項３】
前記第１データインタフェース（１２）は、更なる患者データ（１６ｂ）を呼び出し又は受信するために患者データベース（２６）と接続されるように構成されており、前記更なる患者データ（１６ｂ）は、好ましくは、以前の病気、診断、性別、伸長、体重、年齢、及び／又は肥満度指数を含む患者データ（１６）であること
を特徴とする、請求項１又は２に記載の装置。
【請求項４】
前記第１データインタフェース（１２）及び／又は前記第２データインタフェース（１４）は、特に独自のプロトコルを有する無線インタフェースを含むこと
を特徴とする、請求項１〜３のいずれか一項に記載の装置。
【請求項５】
前記少なくとも１つの注入パラメータ（１８）は、造影剤量、及び／又は注入時点、及び／又は注入期間、及び／又は流量、及び／又は造影剤の流れプロフィールのための少なくとも１つの値を含むこと
を特徴とする、請求項１〜４のいずれか一項に記載の装置。
【請求項６】
該装置（１０）は、コンピュータ断層撮影スキャナ（４０）からデータを受信するために、第３データインタフェース（３８）を含んでおり、該装置（１０）は、好ましくは、特に画像データを含むこれらのデータを評価するように構成されており、及び／又は、前記第３データインタフェース（３８）は、特に撮影を実行するために、制御信号を前記コンピュータ断層撮影スキャナ（４０）へ送信するように構成されていること
を特徴とする、請求項１〜５のいずれか一項に記載の装置。
【請求項７】
前記第２データインタフェース（１４）又は第４データインタフェースが、データを、特に実行された注入パラメータ（３７）を、前記造影剤インジェクタ（２８）から受信するように構成されていること
を特徴とする、請求項１〜６のいずれか一項に記載の装置。
【請求項８】
前記データ処理ユニット（２０）は、前記データインタフェース（１２、１４、３８）の１つ又は複数を介して取得されたデータ、及び／又は更なるデータインタフェース（４６）を介してデータベース（４８）から受信されたデータに依存し、前記少なくとも１つの注入パラメータ（１８）の生成に、好ましくは機械的な学習のための手段により適合するように構成されていること
を特徴とする、請求項１〜７のいずれか一項に記載の装置。
【請求項９】
請求項１〜８のいずれか一項に記載の装置（１０）を有するシステムであって、更に、第１データインタフェース（１２）を介して前記装置（１０）と特に無線で接続可能な又は接続された、特に生理学的なパラメータ（１６ａ）を検知するための測定器（２４）、例えば、脈拍及び／又は血圧測定器を含むこと
を特徴とするシステム。
【請求項１０】
前記システム（２２）は、更に、第２データインタフェース（１４）を介して接続された造影剤インジェクタ（２８）を含むこと
を特徴とする、請求項９に記載のシステム。
【請求項１１】
前記測定器（２４）は、手首関節及び／又は足首関節における脈拍及び／又は血圧測定のための手首関節及び／又は足首関節用の脈拍及び／又は血圧測定器、及び／又は検温計、特に体温計又は体温プローブ、及び／又はオキシメータ、特にパルスオキシメータであること
を特徴とする、請求項９又は１０に記載のシステム。
【請求項１２】
特に請求項１〜８のいずれか一項に記載の装置（１０）又は請求項９〜１１のいずれか一項に記載のシステムを用い、コンピュータ断層撮影スキャナ（４０）を用いた撮影画像を生成する方法であって、以下のステップ、即ち、
−  患者データ（１６）を、第１データインタフェース（１２）を介して検知するステップ、
−  造影剤インジェクタ（２８）のための少なくとも１つの注入パラメータ（１８）を、前記患者データ（１６）に依存し、データ処理ユニット（２０）を用いて生成するステップ、及び、
−  前記注入パラメータ（１８）を、第２データインタフェース（１４）において出力するステップを含むこと
を特徴とする方法。
【請求項１３】
該方法は、以下の更なるステップ、即ち、
−  出力された注入パラメータ（１８）又は変更されて生成されて注入パラメータを用いて造影剤インジェクタ（２８）を制御するステップ、及び／又は、
−  コンピュータ断層撮影スキャナ（４０）からのデータを制御及び／又は受信するステップを含むこと
を特徴とする、請求項１２に記載の方法。
【請求項１４】
コンピュータ断層撮影スキャナ（４０）から受信されるデータは、コンピュータ断層撮影情報、特に画像を含んでおり、当該コンピュータ断層撮影情報は、画像処理ソフトウェアを用いて評価され、少なくとも当該評価は、実行された注入パラメータ（１８）と共に記憶され、当該記憶は、特に、好ましくはネットワーク又はインターネット接続を介してアクセスされる患者データベース又は記録システムである、データベース（４８）において行われること
を特徴とする、請求項１３に記載の方法。
【請求項１５】
注入パラメータ（１８）の生成は、患者データ（１６）に依存し且つ以前に記憶された少なくとも１つの評価内容に依存して行われること
を特徴とする、請求項１２〜１４のいずれか一項に記載の方法。
【請求項１６】
造影剤インジェクタ（２８）の生成された注入パラメータ（１８）は、表示部（３４）において表示され、当該生成された注入パラメータ（１８）は、利用者インタフェース（３６）を介して変更可能であること
を特徴とする、請求項１２〜１５のいずれか一項に記載の方法。
【請求項１７】
患者データ（１６）の検知は、測定器（２４）から生理学的なパラメータ（１６ａ）を呼び出すこと、及び測定器（２４）から前記装置（１０）へ生理学的なパラメータ（１６ａ）を伝送することを含むこと
を特徴とする、請求項１２〜１６のいずれか一項に記載の方法。
【請求項１８】
患者データ（１６）の検知は、処置すべき患者のデータを患者データベース（２６）から呼び出すために、更なる患者データ（１６ｂ）を有する患者データベース（２６）へのアクセスを含むこと
を特徴とする、請求項１２〜１７のいずれか一項に記載の方法。
【発明の詳細な説明】
【技術分野】
【０００１】
本出願は、2018年3月26日にパリ条約に基づき提出されたドイツ特許出願第 10 2018 107 080.2 号の優先権を主張するものであり、同出願の全記載内容は、引用をもって本明細書に組み込み記載されているものとする。
本発明は、コンピュータ断層撮影（ＣＴ）の分野に関する。コンピュータ断層撮影では、コンピュータ断層撮影スキャナを用い、所定の臓器がある領域のような人体の興味対象の領域から、撮影情報とも呼ばれる画像が撮影される。この際、体を通過するレントゲン線（Ｘ線）を使い、所定のコンピュータを用いて１つの撮影情報としてまとめられる複数の断面画像が生成される。
【背景技術】
【０００２】
通常、検査のためには、所定の造影剤、特にヨード含有の造影剤が患者の静脈内へ注入される。造影剤は、注入後に血管を通っていく。造影剤が造影剤とは別に血管内にある血液よりもレントゲン線を強く又は弱く吸収するという特性により、造影剤がある領域は、その他の領域よりも明るく又は暗く描写される。
【０００３】
造影剤が注入される体の様々な反応に基づき合併症（副作用）が起こり得ることが知られている。それ故、コンピュータ断層撮影検査の前には、様々な医学的な検査が行われ、既にそれにより多数の起こり得る合併症が減少される。
【０００４】
体の撮影すべき１つの領域又は複数の領域に依存し、追加的に主治医により、一方では造影剤を十分な量で所望の時点に興味対象の領域へもたらすため、また他方では提供される造影剤量を合併症の回避を目的としてできるだけ僅かに保つために、造影剤インジェクタのための注入パラメータが予め決定される。注入パラメータは、特に、造影剤量、造影剤を投与する流量、並びにコンピュータ断層撮影スキャナを用いた撮影と関係する時点又は期間を含んでいる。コンピュータ断層撮影スキャナを用いた撮影は、画像取得とも呼ばれる。特に時点は、特に重要な要因であり、それは、造影剤は、コンピュータ断層撮影スキャナを用いた撮影が実行可能である前に、注入の場所から先ずは所望の撮影の興味対象の領域に流れていかなくてはならないためである。
【発明の概要】
【発明が解決しようとする課題】
【０００５】
従ってコンピュータ断層撮影スキャナを用いたコンピュータ断層撮影において、造影剤の注入後には、ある特定の時間窓（時間範囲）だけが提供される。つまりコンピュータ断層撮影スキャナを用いた撮影がこの時間窓の前又は後に実行される場合には、限定的に使用できるか又は使用できない、コントラストに乏しすぎる撮影情報になるという危険性がある。このような場合には、更なる撮影が実行される必要があり、当該撮影のためには、新たに造影剤が注入される必要があるだろう。反復される撮影を十分に回避するため、またはむしろ排除するためには、時間窓を、絶対に必要であるよりも長く選択することが普通に行われており、その結果として、実際に撮影のために必要な量の造影剤よりも多くの量の造影剤が注入されることになる。
【０００６】
しかし既に上述したように、造影剤の量についてはできるだけ僅かに保つように努められており、従って注入パラメータの正確な量は、主治医により患者データ並びに主治医の経験値に基づいて決定される。経験値は、特に比較的若いスタッフでは、もちあわせていないか又は僅かであり、それにより比較的若いスタッフは、教科書の知識に基づき極めて概算的にのみ注入パラメータを決定することになる。しかし診断すべき体部分の個々の前提条件が多数であることに基づき、注入パラメータは、経験のあるスタッフによっても大まかにのみ検出可能であり、それにより、反復される撮影を回避するために、通常では、実質的に多すぎる量の造影剤が注入されている。このことは、それに応じ、造影剤注入を受けた患者において比較的多数の合併症をもたらすことにもなり、この際、このような多数の合併症は、注入のための最適な時点と関連して造影剤を最適量にすることにより強く減少させることができるであろう。体重の少ない人間には、典型的に、多すぎる造影剤が投与され、それに対して体重過多の人間には、多くの場合、少なすぎる造影剤が投与される。
【０００７】
本発明の目的は、従来技術の上述の問題点に対処することであり、特に既知の方法に対し、コンピュータ断層撮影における造影剤の注入のための改善された注入パラメータを決定することである。
【課題を解決するための手段】
【０００８】
本発明の第１の視点により、造影剤インジェクタのための少なくとも１つの注入パラメータを生成する装置が提供される。該装置は、
−  患者データを受信するための第１データインタフェースと、
−  造影剤インジェクタと接続するための第２データインタフェースと、
−  前記第１データインタフェースを介して受信された患者データに依存して少なくとも１つの注入パラメータを生成するため及び当該注入パラメータを前記第２データインタフェースにおいて出力するためのデータ処理ユニットとを含むことを特徴とする（形態１・第１基本構成）。
本発明の第２の視点により、本発明の装置を有するシステムが提供される。該システムは、更に、第１データインタフェースを介して前記装置と特に無線で接続可能な又は接続された、特に生理学的なパラメータを検知するための測定器、例えば、脈拍及び／又は血圧測定器を含むことを特徴とする（形態９・第２基本構成）。
本発明の第３の視点により、特に本発明の装置又は本発明のシステムを用い、コンピュータ断層撮影スキャナを用いた撮影画像を生成する方法が提供される。該方法は、以下のステップ、即ち、
−  患者データを、第１データインタフェースを介して検知するステップ、
−  造影剤インジェクタのための少なくとも１つの注入パラメータを、前記患者データに依存し、データ処理ユニットを用いて生成するステップ、及び、
−  前記注入パラメータを、第２データインタフェースにおいて出力するステップを含むことを特徴とする（形態１２・第３基本構成）。
【発明を実施するための形態】
【０００９】
ここに、本発明の好ましい形態を示す。
（形態１）上記第１基本構成参照。
（形態２）形態１の装置において、前記第１データインタフェースは、特に生理学的なパラメータを検知するための測定器と接続されるように構成されており、前記患者データは、脈拍及び／又は血圧測定値のような生理学的なパラメータを含むことが好ましい。
（形態３）形態１又は２の装置において、前記第１データインタフェースは、更なる患者データを呼び出し又は受信するために患者データベースと接続されるように構成されており、前記更なる患者データは、好ましくは、以前の病気、診断、性別、伸長、体重、年齢、及び／又は肥満度指数を含む患者データであることが好ましい。
（形態４）形態１〜３の何れかの装置において、前記第１データインタフェース及び／又は前記第２データインタフェースは、特に独自のプロトコルを有する無線インタフェースを含むことが好ましい。
（形態５）形態１〜４の何れかの装置において、前記少なくとも１つの注入パラメータは、造影剤量、及び／又は注入時点、及び／又は注入期間、及び／又は流量、及び／又は造影剤の流れプロフィールのための少なくとも１つの値を含むことが好ましい。
（形態６）形態１〜５の何れかの装置において、該装置は、コンピュータ断層撮影スキャナからデータを受信するために、第３データインタフェースを含んでおり、該装置は、好ましくは、特に画像データを含むこれらのデータを評価するように構成されており、及び／又は、前記第３データインタフェースは、特に撮影を実行するために、制御信号を前記コンピュータ断層撮影スキャナへ送信するように構成されていることが好ましい。
（形態７）形態１〜６の何れかの装置において、前記第２データインタフェース又は第４データインタフェースが、データを、特に実行された注入パラメータを、前記造影剤インジェクタから受信するように構成されていることが好ましい。
（形態８）形態１〜７の何れかの装置において、前記データ処理ユニットは、前記データインタフェースの１つ又は複数を介して取得されたデータ、及び／又は更なるデータインタフェースを介してデータベースから受信されたデータに依存し、前記少なくとも１つの注入パラメータの生成に、好ましくは機械的な学習のための手段により適合するように構成されていることが好ましい。
（形態９）上記第２基本構成参照。
（形態１０）形態９のシステムにおいて、前記システムは、更に、第２データインタフェースを介して接続された造影剤インジェクタを含むことが好ましい。
（形態１１）形態９又は１０のシステムにおいて、前記測定器は、手首関節及び／又は足首関節における脈拍及び／又は血圧測定のための手首関節及び／又は足首関節用の脈拍及び／又は血圧測定器、及び／又は検温計、特に体温計又は体温プローブ、及び／又はオキシメータ、特にパルスオキシメータであることが好ましい。
（形態１２）上記第３基本構成参照。
（形態１３）形態１２の方法において、該方法は、以下の更なるステップ、即ち、
−  出力された注入パラメータ又は変更されて生成されて注入パラメータを用いて造影剤インジェクタを制御するステップ、及び／又は、
−  コンピュータ断層撮影スキャナからのデータを制御及び／又は受信するステップを含むことが好ましい。
（形態１４）形態１３の方法において、コンピュータ断層撮影スキャナから受信されるデータは、コンピュータ断層撮影情報、特に画像を含んでおり、当該コンピュータ断層撮影情報は、画像処理ソフトウェアを用いて評価され、少なくとも当該評価は、実行された注入パラメータと共に記憶され、当該記憶は、特に、好ましくはネットワーク又はインターネット接続を介してアクセスされる患者データベース又は記録システムである、データベースにおいて行われることが好ましい。
（形態１５）形態１２〜１４の何れかの方法において、注入パラメータの生成は、患者データに依存し且つ以前に記憶された少なくとも１つの評価内容に依存して行われることが好ましい。
（形態１６）形態１２〜１５の何れかの方法において、造影剤インジェクタの生成された注入パラメータは、表示部において表示され、当該生成された注入パラメータは、利用者インタフェースを介して変更可能であることが好ましい。
（形態１７）形態１２〜１６の何れかの方法において、患者データの検知は、測定器から生理学的なパラメータを呼び出すこと、及び測定器から前記装置へ生理学的なパラメータを伝送することを含むことが好ましい。
（形態１８）形態１２〜１７の何れかの方法において、患者データの検知は、処置すべき患者のデータを患者データベースから呼び出すために、更なる患者データを有する患者データベースへのアクセスを含むことが好ましい。
【００１０】
先ず本発明は、造影剤（Kontrastmittel）インジェクタのための少なくとも１つの注入パラメータを生成する装置に関する。造影剤インジェクタは、造影剤ポンプとも呼ばれる。
【００１１】
本装置は、１つ又は複数の物理的なデータインタフェースにより実現されている第１データインタフェースと、１つ又は複数の物理的なデータインタフェースにより実現されている第２データインタフェースとを含んでいる。第１データインタフェースは、患者データを受信するために用いられ、第２データインタフェースは、造影剤インジェクタと接続するために用いられる。この際、造影剤注入ユニット自体、並びに、例えばコンピュータによる、造影剤注入ユニットのための造影剤インジェクタ制御部も、造影剤インジェクタと称される。
【００１２】
更に本装置は、注入パラメータを生成するため及び当該注入パラメータを第２データインタフェースにおいて出力するためのデータ処理ユニットを含んでいる。データ処理ユニットは、本発明により、第１データインタフェースを介して受信可能である患者データに依存して注入パラメータを決定するように構成されている。
【００１３】
従って本装置は、患者データから適切な注入パラメータを決定し、これらの注入パラメータを造影剤インジェクタへ伝送するために、造影剤インジェクタと患者データのソースとの間に設けられたインタフェースを意味する。主治医と異なり、本装置は、多数の患者データを注入パラメータの生成に際して自動的に考慮することが可能であり、それにより例えば造影剤量又は造影剤注入の時点に関して最適化された注入パラメータを遥かに厳密に決定することができる。この最適化により造影剤量の減少を達成することができる。更なる利点は、人間の誤った評価による注入パラメータの決定の際の誤りが排除されることである。
【００１４】
好ましくは、本装置は、コンピュータ断層撮影が行われるべき患者の興味対象の領域に関する情報を、例えば追加的に第１データインタフェースを介して又は本装置の入力手段を介して受信するようにも構成されている。
【００１５】
最初の一実施形態により、第１データインタフェースは、生理学的なパラメータを検知するための測定器、例えば、脈拍及び／又は血圧測定器、及び／又は体温計、好ましくは体温プローブ、及び／又はオキシメータ、好ましくはパルスオキシメータと接続されるように構成されており、この際、患者データは、脈拍及び／又は血圧測定値、及び／又は温度値、及び／又は酸素飽和値のような生理学的なパラメータを含んでいる。これらの生理学的なパラメータは、好ましくはリアルタイムで又は僅かな時間遅延をもって、例えば３０秒の最大時間遅延をもって本装置へ伝送される。好ましくは、それにより現在の患者データ、即ち循環パラメータとも称される生理学的なパラメータが本装置に提供可能であり、それによりこれらのパラメータは、注入パラメータの生成に際して考慮可能である。従って他の患者データに加え、患者の現在の循環状態も注入パラメータの決定及び生成に際して考慮される。
【００１６】
この際、人物は、人物において実質的に一定の安静時脈拍から出発するとしても、人物が正にコンピュータ断層撮影への準備も含まれる特殊な状況にさらされている場合には、肉体的な緊張ないし負荷を伴うこともなく比較的高い脈拍をもち得るということが認識された。この高くなった脈拍は、それに応じて血管内の造影剤の進行をより速めることにもなる。そしてコンピュータ断層撮影スキャナを用いた撮影の実行の直前に、注入パラメータの決定に際して現在の脈拍及び／又は血圧のような生理学的なパラメータを直接的に考慮する可能性があると、造影剤量と注入の時点を更に正確に決定することができる。それにより更に造影剤の量を、特に造影剤注入の時点の精密な決定により減少させることができる。また重病の患者では、低下した酸素飽和度や熱により血液循環が変化することが認識された。この変化も同様に考慮することができる。
【００１７】
更なる一実施形態により、更に第１データインタフェースは、更なる患者データを呼び出し、これらの患者データを注入パラメータの生成に際して考慮するために、所定の患者データベースと接続されるように構成されている。この際、患者データベースからの更なる患者データは、例えば、様々な患者の、以前の病気、診断、ラボパラメータ、或いは以前の画像撮影中の酸素飽和度又は体温のような以前に保存された生理学的なパラメータ、性別、伸長、体重、年齢、及び／又は肥満度指数（ＢＭＩ）を含んでいる。
【００１８】
従って本装置は、患者データベース内の多数の患者データ、又は患者データベース内に保存された使用可能な全ての患者データを、本装置内で予設定された規則に応じて評価し、注入パラメータの生成に際して考慮するように構成されている。つまり一人の患者のための注入パラメータを極めて個人的に生成することが可能である。
【００１９】
更なる一実施形態により、第１データインタフェースは、特に固有のプロトコルを有する無線インタフェースを含んでいる。従って生理学的なパラメータを検知するための測定器は、脈拍及び／又は血圧測定値、体温、又は酸素飽和度のような生理学的なパラメータを、既に撮影のための準備においてポジションについた患者から受信するために、例えば無線で本装置と接続される。従って脈拍及び／又は血圧測定器は、全検査中、ケーブルによる制限を伴うことなく患者により携帯可能であり、それにより検査中及び検査後にも、脈拍及び／又は血圧測定値のような生理学的なパラメータを記録し、及び／又は更なる評価のために保存することができる。
【００２０】
更なる一実施形態により、注入パラメータは、造影剤量、及び注入時点、及び／又は注入期間、及び／又は好ましくは流量、及び／又は流れプロフィールのための少なくとも１つの値を含んでいる。流れ−時間−プロフィールと呼ぶこともできる流れプロフィールは、一例として、５秒間で５ｍｌ／ｓの流れ、更なる３秒間で４ｍｌ／ｓの流れ、そして更なる１０秒間で３ｍｌ／ｓの流れを含んでいる。
【００２１】
第２データインタフェースを介した注入パラメータの出力により、スタッフは、データの再度のチェックを実行することができ、注入パラメータが実際に造影剤インジェクタで使用される前に、注入パラメータを場合により更に個々に適合（マッチング）することができる。造影剤量、及び注入時点、及び／又は注入期間、及び／又は好ましくは流量、及び／又は流れプロフィールのための１つの値により、均等な高さの濃度経緯（Plateau）をもたらすことができる。
【００２２】
更なる一実施形態により、本装置は、コンピュータ断層撮影スキャナからデータを受信するために、第３データインタフェースを有する。第３データインタフェースは、１つ又は複数の物理的なデータインタフェースにより実現されている。本装置は、好ましくは、データ、特に画像データを評価し、また例えば、検査が開始された、検査が中断された、検査が終了した、などの検査のステータス（進行状況）情報も受信するように構成されている。
【００２３】
更にデータは、直接的に、患者データベース、患者ファイル、及び／又は例えば造影剤のための記録システムへ取り込み（入力保存）可能である。それにより検査後には、所望の画像コントラストの自動的な定量化が可能であり、従って生成された注入パラメータを評価することができる。代替的に又は追加的に、第３データインタフェースは、特に撮影の実行のために制御信号をコンピュータ断層撮影スキャナへ送信するために用いられる。
【００２４】
前記制御信号は、例えば、造影剤注入のための時点と関係して更なる時点を含むことが可能であり、それにより本装置は、全体として、スタッフがいなくても、第１データインタフェースを介して受信された患者データに基づき、第２データインタフェースを介して造影剤インジェクタを制御し、そして第３データインタフェースを介してコンピュータ断層撮影スキャナを制御するように構成されている。従って撮影の完全に自動的な実行、即ち手動介入を伴わない実行が本装置では可能である。
【００２５】
更なる一実施形態により、第２データインタフェース、又は１つ又は複数の物理的なデータインタフェースにより実現されている第４データインタフェースが、検査時に実行された注入パラメータのようなデータを造影剤インジェクタから受信するように構成されている。つまりスタッフが予め生成されて出力された本装置の注入パラメータを後に実行される処置のために更に適合する場合には、実行された注入パラメータは、この実施形態により、これらの注入パラメータを例えば後のパラメータ生成において考慮するために、再び本装置に提供可能とされる。更に造影剤インジェクタにより受信されるデータは、検査される患者に割り当て可能である。つまりそれらのデータは、例えば自動的に患者ファイルへ入力保存可能である。
【００２６】
このことは、特に実行された注入パラメータを、その際に生成された撮影情報の評価された画像コントラストと共に記憶するために有利であり、例えばある適合（マッチング）が比較的良好な又は粗悪な結果をもたらしたか否かを認識するために有利であり、そして可能であれば後に続く検査においてその適合情報を本装置において考慮するために有利である。
【００２７】
更なる一実施形態により、データ処理ユニットは、１つ又は複数のデータインタフェースを介して取得されたデータに依存し、注入パラメータ自体の生成を、つまり例えば生成のために利用される規則、指示などを、特に機械的な学習（マシーンラーニング）のための手段により適合するように構成されている。
【００２８】
それにより、例えば、コンピュータ断層撮影スキャナにより取得されて評価される撮影情報は、実際に実行された注入パラメータと共に評価可能であり、当該評価に基づき、注入パラメータの生成は、後のパラメータ生成のために適合可能である。従って撮影の自動的な改善が可能であり、それにより注入パラメータの生成は、更に一層最適化される。
【００２９】
更に本発明は、前記の実施形態の１つによる装置を備えたシステムに関する。更に本システムは、本装置の第１データインタフェースを介して本装置と特に無線で接続可能な又は接続された、生理学的なパラメータを検知するための測定器、例えば、脈拍及び／又は血圧測定器、及び／又は例えば体温計又は体温プローブのような検温計、及び／又は例えばパルスオキシメータのようなオキシメータを含んでいる。
【００３０】
本システムの一実施形態により、本システムは、本装置の第２データインタフェースを介して接続された造影剤インジェクタを含んでいる。
【００３１】
本システムの更なる一実施形態により、測定器は、手首関節及び／又は足首関節測定器である。従って本測定器は、測定のために患者の手首関節及び／又は足首関節に配置可能である。
【００３２】
従って例えば、検査中には、本装置への生理学的なパラメータの伝送を行うことができ、この際、コンピュータ断層撮影スキャナを用いた任意の体部分の撮影が測定器により影響されることはない。
【００３３】
更に本発明は、コンピュータ断層撮影スキャナを用いて撮影情報を生成する方法に関する。本方法は、好ましくは、前記の実施形態の１つによる装置、又は前記の実施形態の１つによるシステムを用いて実行される。この際、先ず患者データが、第１データインタフェースを介して検知され、造影剤インジェクタのための少なくとも１つの注入パラメータが、データ処理ユニットを用いて前記患者データに依存して生成される。それから少なくとも１つの前記注入パラメータは、第２データインタフェースを介して出力される。
【００３４】
従って造影剤インジェクタのための注入パラメータの最適な決定が自動化されて可能である。
【００３５】
本方法の一実施形態により、更に本方法は、生成されて出力された注入パラメータ又は変更されて生成されて出力された注入パラメータを用いた造影剤インジェクタの制御、及び／又は、コンピュータ断層撮影スキャナからのデータの制御及び／又は受信を含んでいる。従って本方法は、造影剤注入の実行を含み、コンピュータ断層撮影スキャナを用いた撮影の完全に自律的な実行を可能とする。更にまた注入パラメータの適合（マッチング）により、例えば主治医のような操作スタッフによる介入も可能とされている。
【００３６】
本方法の更なる一実施形態により、コンピュータ断層撮影スキャナからのデータは、コンピュータ断層撮影情報を含んでおり、この際、本装置により、コンピュータ断層撮影情報は、画像処理ソフトウェアを用いて評価され、少なくとも当該評価は、実行された注入パラメータと共に記憶される。当該記憶は、好ましくは、ネットワーク又はインターネット接続を介してアクセス可能であるデータベースにおいて行われる。
【００３７】
従って注入パラメータに依存し、コンピュータ断層撮影情報が評価されて保存され、それにより以前に生成された注入パラメータの質は、間接的に評価可能である。
【００３８】
更なる一実施形態により、本方法は、患者データに依存し、それに加えて以前に記憶された少なくとも１つの評価内容に依存した、データ処理ユニットを用いた少なくとも１つの注入パラメータの生成を含んでいる。従って実行されたコンピュータ断層撮影の評価により獲得される経験値が、注入パラメータの生成の改善を行うために用いられる。
【００３９】
本方法の更なる一実施形態により、患者データの検知は、脈拍及び／又は血圧測定器、及び／又は検温計、好ましくは体温プローブ、及び／又はオキシメータ、特にパルスオキシメータのような、生理学的なパラメータを検知するための測定器を用いた、脈拍及び／又は血圧データ、及び／又は体温値、及び／又は体内酸素飽和値のような生理学的なパラメータの測定と、測定器から注入パラメータを生成する装置への生理学的なパラメータの伝送とを含んでいる。従って循環パラメータのような患者データを注入パラメータの生成に際して考慮することができる。
【００４０】
本方法の更なる一実施形態により、患者データの検知は、処置すべき患者の更なる患者データを、患者データベースから、つまりそれぞれの患者の電子的な患者ファイルから呼び出すために、患者データベースへのアクセスを含んでいる。
【００４１】
従って多数の更なる患者データが、注入パラメータの生成に際して考慮可能であり、それにより最適の個人的な注入パラメータが生成可能である。
【００４２】
更なる実施形態は、図面に関して詳細に説明される実施例に基づいて得られる。
【図面の簡単な説明】
【００４３】
【図１】本発明による装置の一実施例を示す図である。
【図２】前記装置を備えた一システムの一実施例を示す図である。
【図３】一実施例による方法のステップを示す図である。
【実施例】
【００４４】
図１は、第１実施例による造影剤インジェクタのための少なくとも１つの注入パラメータを生成する装置１０を示している。装置１０は、第１データインタフェース１２と第２データインタフェース１４を有する。第１データインタフェース１２は、患者データ１６を受信するために設けられ、第２データインタフェース１４は、造影剤インジェクタと接続されるために設けられている。更に第２データインタフェース１４は、少なくとも１つの注入パラメータ１８を、接続された造影剤インジェクタへ出力するために設けられている。注入パラメータ１８は、例えば、注入時点、及び／又は注入期間、並びに造影剤量、及び／又は造影剤の流量、及び／又は流れプロフィールを含んでいる。
【００４５】
更に装置１０は、データ処理ユニット２０を含み、データ処理ユニット２０は、少なくとも１つの注入パラメータ１８を、第１データインタフェース１２を介して受信した患者データ１６に依存して生成するように構成されている。
【００４６】
図２は、本発明の一実施例による一システム２２内で少なくとも１つの注入パラメータ１８を生成する装置１０を示している。システム２２は、装置１０の他に、生理学的なパラメータを検知するための測定器２４を含み、測定器２４は、ここでは脈拍及び／又は血圧測定器であり、患者データ１６、即ち生理学的なパラメータ１６ａ、即ちここでは脈拍及び／又は血圧測定値を出力し、これらを（データ線を介し）装置１０の第１データインタフェース１２に提供する。
【００４７】
更に患者データベース２６が設けられており、患者データベース２６は、同様に第１データインタフェース１２を介して装置１０と（データ線を介し）接続されており、それにより、例えば、以前の病気、診断、性別、伸長、体重、年齢、及び／又は肥満度指数（ＢＭＩ）のような更なる患者データ１６ｂが出力可能である。そして患者データ１６、即ち生理学的なパラメータ１６ａのような現在測定された患者データと、更なる患者データ１６ｂとを含んだ患者データ１６は、データ処理ユニット２０に提供され、データ処理ユニット２０を用いて造影剤インジェクタ２８のための少なくとも１つの注入パラメータ１８が生成され、第２データインタフェース１４を介して出力される。
【００４８】
この際、造影剤インジェクタ２８は、造影剤インジェクタ制御部３０並びに造影剤注入ユニット３２を含んでいる。造影剤インジェクタ制御部３０は、好ましくは、注入パラメータ１８を光学的に表示部３４を用いて表示するように構成されており、更に入力手段３６を有し、これらの入力手段３６を用い、注入パラメータ１８を変更又は適合（マッチング）することができる。更に造影剤インジェクタ２８は、生成された注入パラメータ１８に基づき又は生成されて適合された注入パラメータに基づき、造影剤注入ユニット３２を制御するように構成されている。造影剤インジェクタ制御部３０で使用された注入パラメータ３７は、この好ましい実施形態において、第２データインタフェース１４を介して装置１０に提供可能とされる。
【００４９】
更に装置１０は、第３データインタフェース３８を含み、コンピュータ断層撮影スキャナ４０が第３データインタフェース３８と接続されている。コンピュータ断層撮影スキャナ４０も、コンピュータ断層撮影スキャナ制御部４２並びにコンピュータ断層撮影走査ユニット４４を含んでいる。第３データインタフェース３８は、コンピュータ断層撮影スキャナ４０を制御するため、又は少なくとも撮影の実行のための時点を提供するよう構成されている。更に第３データインタフェース３８は、データ３９、特にコンピュータ断層撮影スキャナ４０の撮影情報を含むデータ３９を画像データと共に受信するよう構成されている。
【００５０】
更に装置１０は、好ましくはネットワーク接続又はインターネット接続と接続されている更なるデータインタフェース４６を介し、所定のデータベース４８と接続されており、データベース４８内には、受信された撮影情報、並びに実行された注入パラメータ３７が、データ処理ユニット２０により実行された評価と共に記憶される。更にこのデータベース４８からのデータは、更なるデータインタフェース４６を介し、データ処理ユニット２０を用いた注入パラメータ１８の生成を機械的な学習により最適化するために受信可能である。
【００５１】
更に装置１０は、コンピュータ断層撮影が望まれる興味対象の領域を予設定するために、非図示の入力手段を含んでいる。
【００５２】
図３は、本発明による方法の一実施例（のフロー）を示している。第１ステップ５０において、選択された患者の患者データ１６が患者データベース２６から第１データインタフェース１２を介して装置１０へアップロードされ、ないしこれらが呼び出される。
【００５３】
ステップ５２において、装置１０には、コンピュータ断層撮影が実行されるべき領域が予設定される。この種の領域は、例えば、患者の所定の体部分又は所定の臓器である。興味対象（領域）の予設定は、例えば、コンピュータ断層撮影スキャナ制御部４２からの呼び出しにより、又は装置１０と接続されている入力手段により行われる。
【００５４】
それからステップ５４において、例えば、脈拍及び／又は血圧測定値のような現在の生理学的なパラメータ１６ａが測定器２４から受信され、受信された全てのデータに依存し、ステップ５６において、注入パラメータ１８が決定される。これらの注入パラメータ１８は、ステップ５８において、造影剤インジェクタ２８に提供される。造影剤インジェクタ２８は、ステップ６０において、これらの注入パラメータ１８を表示部３４において表示し、ステップ６２において、注入パラメータ１８を適合するため又はこれらを確認するために手動入力が完了するまで、待機する。その後、装置１０は、ステップ６４において、コンピュータ断層撮影スキャナ４０を用いて撮影が撮影完了となるまで待機し、コンピュータ断層撮影スキャナ４０から撮影情報を受信する。この撮影情報は、ステップ６６において評価され、ステップ６８において、造影剤インジェクタ２８により受信されて実行された注入パラメータ１８と共にデータベース４８内に記憶される。
【００５５】
本発明の全開示（特許請求の範囲及び図面を含む）の枠内において、さらにその基本的技術思想に基づいて、実施形態の変更・調整が可能である。更に、本発明の全開示の枠内において、種々の開示要素（各請求項の各要素、各実施例（実施形態）の各要素、各図面の各要素等を含む）の多様な組み合わせないし選択（「選択」は「非選択」を含む。）が可能である。すなわち、本発明は、特許請求の範囲及び図面を含む全開示、本発明の技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【００５６】
更に、特許請求の範囲に付記した図面参照符号は専ら発明の理解を助けるためのものに過ぎず、本発明を図示の態様に限定することは意図していない。
【００５７】
本発明は以下の付記のようにも記載され得る。
［付記１］
造影剤インジェクタのための少なくとも１つの注入パラメータを生成する装置。該装置は、
−  患者データを受信するための第１データインタフェースと、
−  造影剤インジェクタと接続するための第２データインタフェースと、
−  前記第１データインタフェースを介して受信された患者データに依存して少なくとも１つの注入パラメータを生成するため及び当該注入パラメータを前記第２データインタフェースにおいて出力するためのデータ処理ユニットとを含む。
［付記２］
上記の装置において、前記第１データインタフェースは、特に生理学的なパラメータを検知するための測定器と接続されるように構成されており、前記患者データは、脈拍及び／又は血圧測定値のような生理学的なパラメータを含む。
［付記３］
上記の装置において、前記第１データインタフェースは、更なる患者データを呼び出し又は受信するために患者データベースと接続されるように構成されており、前記更なる患者データは、好ましくは、以前の病気、診断、性別、伸長、体重、年齢、及び／又は肥満度指数を含む患者データである。
［付記４］
上記の装置において、前記第１データインタフェース及び／又は前記第２データインタフェースは、特に独自のプロトコルを有する無線インタフェースを含む。
［付記５］
上記の装置において、前記少なくとも１つの注入パラメータは、造影剤量、及び／又は注入時点、及び／又は注入期間、及び／又は流量、及び／又は造影剤の流れプロフィールのための少なくとも１つの値を含む。
［付記６］
上記の装置において、該装置は、コンピュータ断層撮影スキャナからデータを受信するために、第３データインタフェースを含んでおり、該装置は、好ましくは、特に画像データを含むこれらのデータを評価するように構成されており、及び／又は、前記第３データインタフェースは、特に撮影を実行するために、制御信号を前記コンピュータ断層撮影スキャナへ送信するように構成されている。
［付記７］
上記の装置において、前記第２データインタフェース又は第４データインタフェースが、データを、特に実行された注入パラメータを、前記造影剤インジェクタから受信するように構成されている。
［付記８］
上記の装置において、前記データ処理ユニットは、前記データインタフェースの１つ又は複数を介して取得されたデータ、及び／又は更なるデータインタフェースを介してデータベースから受信されたデータに依存し、前記少なくとも１つの注入パラメータの生成に、好ましくは機械的な学習のための手段により適合するように構成されている。
［付記９］
上記の装置を有するシステム。該システムは、更に、第１データインタフェースを介して前記装置と特に無線で接続可能な又は接続された、特に生理学的なパラメータを検知するための測定器、例えば、脈拍及び／又は血圧測定器を含む。
［付記１０］
上記システムは、更に、第２データインタフェースを介して接続された造影剤インジェクタを含む。
［付記１１］
上記システムにおいて、前記測定器は、手首関節及び／又は足首関節における脈拍及び／又は血圧測定のための手首関節及び／又は足首関節用の脈拍及び／又は血圧測定器、及び／又は検温計、特に体温計又は体温プローブ、及び／又はオキシメータ、特にパルスオキシメータである。
［付記１２］
上記の装置又は上記のシステムを用い、コンピュータ断層撮影スキャナを用いた撮影画像を生成する方法。該方法は、以下のステップ、即ち、
−  患者データを、第１データインタフェースを介して検知するステップ、
−  造影剤インジェクタのための少なくとも１つの注入パラメータを、前記患者データに依存し、データ処理ユニットを用いて生成するステップ、及び、
−  前記注入パラメータを、第２データインタフェースにおいて出力するステップを含む。
［付記１３］
上記の方法は、以下の更なるステップ、即ち、
−  出力された注入パラメータ又は変更されて生成されて注入パラメータを用いて造影剤インジェクタを制御するステップ、及び／又は、
−  コンピュータ断層撮影スキャナからのデータを制御及び／又は受信するステップを含む。
［付記１４］
上記の方法において、コンピュータ断層撮影スキャナから受信されるデータは、コンピュータ断層撮影情報、特に画像を含んでおり、当該コンピュータ断層撮影情報は、画像処理ソフトウェアを用いて評価され、少なくとも当該評価は、実行された注入パラメータと共に記憶され、当該記憶は、特に、好ましくはネットワーク又はインターネット接続を介してアクセスされる患者データベース又は記録システムである、データベースにおいて行われる。
［付記１５］
上記の方法において、注入パラメータの生成は、患者データに依存し且つ以前に記憶された少なくとも１つの評価内容に依存して行われる。
［付記１６］
上記の方法において、造影剤インジェクタの生成された注入パラメータは、表示部において表示され、当該生成された注入パラメータは、利用者インタフェースを介して変更可能である。
［付記１７］
上記の方法において、患者データの検知は、測定器から生理学的なパラメータを呼び出すこと、及び測定器から前記装置へ生理学的なパラメータを伝送することを含む。
［付記１８］
上記の方法において、患者データの検知は、処置すべき患者のデータを患者データベースから呼び出すために、更なる患者データを有する患者データベースへのアクセスを含む。
【符号の説明】
【００５８】
１０          注入パラメータを生成する装置
１２          第１データインタフェース
１４          第２データインタフェース
１６          患者データ
１６ａ        生理学的なパラメータ
１６ｂ        更なる患者データ
１８          注入パラメータ
２０          データ処理ユニット
２２          装置１０を含んだシステム
２４          測定器
２６          患者データベース
２８          造影剤インジェクタ
３０          造影剤インジェクタ制御部
３２          造影剤注入ユニット
３４          表示部
３６          入力手段（利用者インタフェース）
３７          実行された注入パラメータ
３８          第３データインタフェース
３９          データ
４０          コンピュータ断層撮影スキャナ
４２          コンピュータ断層撮影スキャナ制御部
４４          コンピュータ断層撮影走査ユニット
４６          更なるデータインタフェース
４８          データベース
５０〜６８    方法ステップ
【図１】
2019171055.tif 000003
【図２】
2019171055.tif 000004
【図３】
2019171055.tif 000005
【外国語明細書】
2019171055000001.pdf